(57)【要約】【課題】短いケーブルの余長でカメラ装置の調整作業が出来る、簡素な構造で安価なリモコン雲台用カメラハウジングを提供する。【解決手段】レンズ装置とカメラ装置を有する撮影装置を収容するリモコン雲台用カメラハウジングであって、該撮影装置を出し入れするための開口部を有するハウジング筐体と、該ハウジング筐体に対して回動軸を中心に回動可能に係合し、該撮影装置が固定されるカメラ台と、を有し、該回動軸は、該ハウジング筐体の、該開口部に対向する面と該開口部との中間より該開口部側に設置される。【選択図】図１
2013130594.tif 000002
【特許請求の範囲】
【請求項１】
レンズ装置とカメラ装置を有する撮影装置を収容するリモコン雲台用カメラハウジングであって、
該撮影装置を出し入れするための開口部を有するハウジング筐体と、
該ハウジング筐体に対して回動軸を中心に回動可能に係合し、該撮影装置が固定されるカメラ台と、
を有し、
該回動軸は、該ハウジング筐体の、該開口部に対向する面と該開口部との中間より該開口部側に設置される、
ことを特徴とするリモコン雲台用カメラハウジング。
【請求項２】
回動可能に前記ハウジング筐体と係合して前記開口部を開閉する扉を有し、
該カメラ台は該扉に係合し、該扉の開閉に連動して回動する、
ことを特徴とする請求項１に記載のリモコン雲台用カメラハウジング。
【請求項３】
前記回動軸を軸として回動可能に前記ハウジング筐体と係合して前記開口部を開閉する扉を有し、
該カメラ台は該開口部の扉に固定されている、
ことを特徴とする請求項１に記載のリモコン雲台用カメラハウジング。
【請求項４】
該回動軸から、該ハウジング筐体の該開口部に対向する面と該回動軸との間の距離の２０％以下の距離の位置に、該撮影装置と該ハウジング筐体側とを接続するケーブルを保持する保持手段を有する、
ことを特徴とする請求項１乃至３のいずれか１項に記載のリモコン雲台用カメラハウジング。
【請求項５】
該回動軸から、該ハウジング筐体の該開口部に対向する面と該回動軸との間の距離の１０％以下の距離の位置に、該撮影装置と該ハウジング筐体側とを接続するケーブルを保持する保持手段を有する、
ことを特徴とする請求項４に記載のリモコン雲台用カメラハウジング。
【請求項６】
前記回動軸は貫通孔を有し、
前記撮影装置と前記ハウジング筐体側とを接続するケーブルは、該貫通孔を経由して配線される、
ことを特徴とする請求項１又は２に記載のリモコン雲台用カメラハウジング。
【発明の詳細な説明】
【技術分野】
【０００１】
本発明は、カメラ装置等を収納するリモコン雲台用カメラハウジングに関し、特に、ハウジング筐体内からカメラ装置を引き出す機構を有するリモコン雲台用カメラハウジングに関する。
【背景技術】
【０００２】
従来のリモコン雲台用カメラハウジングではレンズ装置やカメラ装置の調整や、カメラ装置へのケーブル接続を行なう際は、図８に示すように、ハウジング筐体からカメラ台を引き出して作業を行なっていた。
【０００３】
例えば、特許文献１には、ハウジング筐体の一つの側面に開口部を有し、カメラ装置が固定されるカメラ装置取り付けベースは、ハウジング筐体の該開口部からスライドして引き出し可能な態様でハウジング筐体内のスライドレールに支持され、所定の長さだけカメラ装置取り付けベースをハウジング筐体から引き出した後、カメラ装置取り付けベースは９０度回動してカメラ装置取付け部を外部に露出可能な状態とすることができるカメラハウジング機構について開示されている。
【先行技術文献】
【特許文献】
【０００４】
【特許文献１】特開平８−３１６６４９号公報
【発明の概要】
【発明が解決しようとする課題】
【０００５】
しかしながら、特許文献１に開示された従来技術では、ケーブルに余長が必要となり、カメラ台をハウジング筐体に出し入れする際にケーブルを挟み込んでしまう原因となっていた。例えば、図８の概念図に示すように、カメラ台１０３がハウジング筐体１００の外に引き出される際、カメラ装置のコネクター１０６は、カメラ装置をハウジング筐体１００の外部へ引き出すための距離１１０を移動するので、カメラ装置とハウジング筐体１００に対して固定されているケーブル１０５は距離１１０に相当する長さからその半分の長さを余長として有することが必要となる（図８の例は、距離１１０に相当する長さを余長とする場合）。また、特許文献１においては、カメラ台にスライド機構と回転機構を有するため、構成部材が多くなり、安価に提供する事が困難であった。
【０００６】
そこで、本発明の目的は、短いケーブルの余長でカメラ装置の調整作業が出来る、簡素な構造で安価なリモコン雲台用カメラハウジングを提供することにある。
【課題を解決するための手段】
【０００７】
上記目的を達成するために、本発明のリモコン雲台用カメラハウジングは、レンズ装置とカメラ装置を有する撮影装置を収容するリモコン雲台用カメラハウジングであって、該撮影装置を出し入れするための開口部を有するハウジング筐体と、該ハウジング筐体に対して回動軸を中心に回動可能に係合し、該撮影装置が固定されるカメラ台と、を有し、該回動軸は、該ハウジング筐体の、該開口部に対向する面と該開口部との中間より該開口部側に設置される、ことを特徴とする。
【発明の効果】
【０００８】
本発明によれば、短いケーブルの余長でカメラ装置の調整作業が出来る、簡素な構造で安価なリモコン雲台用カメラハウジングを提供することができる。つまり、本発明のリモコン雲台用カメラハウジングは、カメラ台に１個の回転機構を有する事で、短いケーブルの余長で、カメラ台をハウジング外へ引き出し、カメラ装置の調整作業が出来る。よって、カメラ装置の調整作業時にケーブルを挟み込むこと無く、作業性を向上させることができる。また、構成部材を少なく出来るため、安価に提供する事ができる。
【図面の簡単な説明】
【０００９】
【図１】実施例１のリモコン雲台用カメラハウジングの上側から見た断面図
【図２】実施例１のリモコン雲台用カメラハウジングの扉を開いた状態の全体斜視図
【図３】実施例１のリモコン雲台用カメラハウジングのカメラ取付台の構造図で一部を部分断面で表した図
【図４】実施例２のリモコン雲台用カメラハウジングの上側から見た断面図
【図５】実施例３のリモコン雲台用カメラハウジングの背面側から見た断面図
【図６】実施例４のリモコン雲台用カメラハウジングの上側から見た断面図
【図７】実施例５のハウジング筐体の扉を外した状態での斜視図と部分詳細図
【図８】従来のリモコン雲台用カメラハウジングへのカメラ取付台着脱の概念図
【発明を実施するための形態】
【００１０】
以下に、本発明の好ましい実施の形態を、添付の図面に基づいて詳細に説明する。
【実施例１】
【００１１】
以下、図１乃至３を参照して、本発明の第１の実施例による、リモコン雲台用カメラハウジングについて説明する。
【００１２】
ハウジング筐体１０は箱型で一側面が雲台装置のヘッド本体３と連結され、相対する一側面に開口部１２を有している。当該開口部１２は、レンズ装置１とカメラ装置２を有する撮影装置を出し入れするためのものである。ハウジング筐体１０には、開口部１２に対し開閉自在となる（開口部１２を開閉する）扉１１が図示されていないヒンジ等で連結（係合）されている。ハウジング筐体１０には撮影装置が収容される。また、ハウジング筐体１０の内部には、カメラ装置２のコントロール基板５と、撮影装置を固定するカメラ台１３が具備されている。ハウジング筐体１０の、開口部１２に対向する面と開口部１２との中間４より開口部１２側に設置された回動軸１４によって、カメラ台１３は、ハウジング筐体１０に対して回動軸１４を中心に回動可能に係合するように設置されている。カメラ台１３には撮影装置を構成するカメラ装置２がビス等の締結部材で固定される。カメラ台１３は開口部方向へ引き出す力が作用した際、回動軸１４を支点として回動し、カメラ台１３はハウジング筐体１０の外へ引き出される。回動規制部材１７は板状や棒状あるいはワイヤー等の紐状のものであり、ハウジング筐体１０とカメラ台１３と係合している。回動規制部材１７はカメラ台１３がハウジング筐体１０の外へ引き出される際、カメラ台１３の回動角度を規制している。カメラ台固定部材１８はビス等の締結部材であり、カメラ台１３がハウジング筐体１０の所定の位置に収容された際、カメラ台１３とハウジング筐体１０を固定する。ケーブル１５は回動軸１４の近傍を経由して配線され、カメラ装置２のコネクター１６とコントロール基板５を接続している。
【００１３】
本発明によれば、カメラ台１３がハウジング筐体１０の内外に移動する場合でも、コネクター１６の移動軌跡は回動軸１４を中心とする円弧長であり、ケーブル１５の余長を小さくする事が出来る。また、ケーブル１５を、回動軸１４の近傍を経由して配線して、カメラ装置２のコネクター１６とコントロール基板５を接続するために、ケーブル１５をクランプする保持手段を回動軸１４の近傍に設けることが好ましい。この場合、保持手段は、回動軸１４から、該回動軸１４とハウジング筐体１０の開口部１２に対向する面との間の距離の２０％以下の距離の位置に設置されることが好ましい。更に、保持手段は、回動軸１４から、該回動軸１４とハウジング筐体１０の開口部１２に対向する面との間の距離の１０％以下の距離の位置に設置されることがより好ましい。また、保持手段は、カメラ台１３上またはハウジング筐体１０上に設置されるが、より好ましくは、ハウジング筐体１０上に設置されることが好ましい。
【００１４】
上記構成のカメラハウジングによれば、レンズ装置１及びカメラ装置２をハウジング筐体１０外へ引き出す際のケーブル１５の余長を最小限に抑え、ケーブル１５の挟み込みを防ぐことが出来る。
なお、回動軸１４を上記で示した場所以外に配置した場合も、本発明と同様の効果を得られるが、ハウジング筐体１０の大型化を伴うため、実施例１の配置が好ましい。
【実施例２】
【００１５】
以下、図４を参照して、本発明の第２の実施例による、リモコン雲台用カメラハウジングについて説明する。
【００１６】
本実施例の、レンズ装置１とカメラ装置２を有する撮影装置を収容するリモコン雲台用カメラハウジングは、撮影装置を出し入れするための開口部２２を有するハウジング筐体２０と、ハウジング筐体２０に対して回動軸２４を中心に回動可能に係合し撮影装置が固定されるカメラ台２３とを有する。ハウジング筐体２０の後側面には、扉２１がヒンジ２５により回動可能にハウジング筐体２０と係合して開口部２２を開閉自在に連結されている。
【００１７】
扉２１には係合部材２７が具備されている。係合部材２７はカム２８を有し、カム２８にはカメラ台２３に備えられたピン等の突起２６が嵌合している。なお、参照符号が付されていないその他の構成については、第１の実施例と同様であるので説明は省略する。
扉２１は開閉する際にヒンジ２５を支点として回動し、係合部材２７は扉２１の動きと同調し、カム２８に勘合している突起２６を引きだす、あるいは押し入れるような力を与える。その力は回動軸２４を支点としてカメラ台２３に回動する力として伝達される。よってカメラ台２３は扉２１に係合し、扉２１の開閉の動きに連動して回動し、レンズ装置１及びカメラ装置２はハウジング筐体２０の外に引き出される。ヒンジ２５を支点とする回動軸は、ハウジング筐体２０の、開口部２２に対向する面と開口部２２との中間より開口部側に配置される。また、カム２８が形成された範囲によって、カメラ台２３の回動軸２５を中心とする回動可能な範囲は規制される。
【００１８】
本実施例においても、ケーブルを、回動軸２４の近傍を経由して配線して、カメラ装置２のコネクターとコントロール基板を接続するために、ケーブルをクランプする保持手段を回動軸２４の近傍に設けることが好ましい。保持手段は、回動軸２４から、該回動軸２４とハウジング筐体２０の開口部に対向する面との間の距離の２０％以下の距離の位置に設置されることが好ましい。更に、保持手段は、回動軸２４から、該回動軸２４とハウジング筐体の開口部に対向する面との間の距離の１０％以下の距離の位置に設置されることがより好ましい。また、保持手段は、カメラ台２３上またはハウジング筐体２０上に設置されるが、より好ましくは、ハウジング筐体２０上に設置されることが好ましい。
【００１９】
本実施例のリモコン雲台用のカメラハウジングによれば、実施例１と同様の効果が得られるとともに、扉２１の開閉によりレンズ装置１及びカメラ装置２の出し入れが出来る。
【実施例３】
【００２０】
以下、図５を参照して、本発明の第３の実施例による、リモコン雲台用カメラハウジングについて説明する。
【００２１】
本実施例の、レンズ装置とカメラ装置を有する撮影装置を収容するリモコン雲台用カメラハウジングは、撮影装置を出し入れするための開口部３２を有するハウジング筐体３０と、ハウジング筐体３０に対して回動軸３４を中心に回動可能に係合し撮影装置が固定されるカメラ台３３とを有する。ハウジング筐体３０の底側面には、扉３１がヒンジ３４により回動可能にハウジング筐体３０と係合して開口部３２を開閉自在に締結されている。カメラ台３３は扉３１に溶接あるいはビス等で固定され、カメラ台３３にはカメラ装置２と、カメラ装置２のコントロール基板５がビス等で固定されている。扉３１はヒンジ３４を支点として回動し、レンズ装置１とカメラ装置２が固定されたカメラ台３３は扉３１の開閉の動きに連動して回動し、ハウジング筐体３０より出し入れされる。すなわち、カメラ台３３は、ハウジング筐体３０の開口部と相対する面と開口部との中間より開口部側に配置されたヒンジ３４を回動軸として、回動可能に設置されている。回動規制部材３７はワイヤー等の紐状のものであり、扉３１とハウジング筐体３０を係合し、扉３１が所望の角度以上に回動することを規制している。ケーブル３５はヒンジ３４の近傍を経由して配線され、図示されないヘッド本体とコントロール基板５を接続している。なお、参照符号が付されていない構成については、第１の実施例と同様であるので説明は省略する。
【００２２】
本実施例においても、ケーブルを、回動軸であるヒンジ３４の近傍を経由して配線して、カメラ装置側とハウジング筐体側を接続するために、ケーブル３５をクランプする保持手段をヒンジ３４の近傍に設けることが好ましい。保持手段は、ヒンジ３４から、ヒンジ３４とハウジング筐体３０の開口部に対向する面との間の距離の２０％以下の距離の位置に設置されることが好ましい。更に、保持手段は、ヒンジ３４から、ヒンジ３４とハウジング筐体３０の開口部に対向する面との間の距離の１０％以下の距離の位置に設置されることがより好ましい。また、保持手段は、カメラ装置２が固定されているカメラ台３３上またはハウジング筐体３０上に設置されるが、より好ましくは、ハウジング筐体３０上に設置されることが好ましい。
【００２３】
尚、図５に例示した実施例においては、コントロール基板５は、扉３１に固定されているため、カメラ装置２からの配線は、扉３１に固定されたコントロール基板５と接続すればよい。一方で、扉３１に固定されたコントロール基板５と、ハウジング筐体３０との間は、上記のように、回動軸であるヒンジ３４近傍を経由するように配線することにより、本発明の効果を享受することができる。
【００２４】
上記構成のカメラハウジングによれば、実施例１と同様の効果が得られるとともに、扉３１の開閉によりレンズ装置１及びカメラ装置２の出し入れが出来る。
【実施例４】
【００２５】
以下、図６を参照して、本発明の第４の実施例による、リモコン雲台用カメラハウジングについて説明する。
【００２６】
本実施例の、レンズ装置１とカメラ装置２を有する撮影装置を収容するリモコン雲台用カメラハウジングは、撮影装置を出し入れするための開口部４２を有するハウジング筐体４０と、ハウジング筐体４０に対して回動軸４４を中心に回動可能に係合し撮影装置が固定されるカメラ台４３とを有する。ハウジング筐体４０の後側面には、扉４１がヒンジ４４により回動可能にハウジング筐体４０と係合して開口部４２を開閉自在に締結されている。カメラ台４３は扉４１に溶接あるいはビス等で固定され、カメラ台４３にはカメラ装置２がビス等で固定されている。扉４１はヒンジ４４を支点として回動し、レンズ装置１及びカメラ装置２を固定したカメラ台４３は扉４１の開閉に連動して回動し、ハウジング筐体４０より出し入れされる。すなわち、カメラ台４３は、ハウジング筐体４０の開口部４２と相対する面と開口部との中間より開口部側に配置されたヒンジ４４を回動軸として、回動可能に設置されている。ケーブル４５はヒンジ４４の近傍を経由して配線され、カメラ装置２とコントロール基板５を接続している。なお、参照符号が付されていないその他の構成については、第１の実施例と同様であるので説明を省略する。
【００２７】
本実施例においても、ケーブル４５を、回動軸であるヒンジ４４の近傍を経由して配線して、カメラ装置２とハウジング筐体４０側のコントロール基板５とを接続するために、ケーブル４５をクランプする保持手段をヒンジ４４の近傍に設けることが好ましい。保持手段は、ヒンジ４４から、ヒンジ４４とハウジング筐体４０の開口部に対向する面との間の距離の２０％以下の距離の位置に設置されることが好ましい。更に、保持手段は、ヒンジ４４から、ヒンジ４４とハウジング筐体４０の開口部に対向する面との間の距離の１０％以下の距離の位置に設置されることがより好ましい。また、保持手段は、カメラ装置２が固定されているカメラ台４３上またはハウジング筐体４０上に設置されるが、より好ましくは、ハウジング筐体４０上に設置されることが好ましい。
【００２８】
上記構成のカメラハウジングによれば、実施例１と同様の効果が得られるとともに、扉４１の開閉によりレンズ装置１及びカメラ装置２の出し入れが出来る。
【実施例５】
【００２９】
以下、図７を参照して、本発明の第５の実施例によるリモコン雲台用カメラハウジングについて説明する。
【００３０】
本実施例の、レンズ装置１とカメラ装置２を有する撮影装置を収容するリモコン雲台用カメラハウジングは、撮影装置を出し入れするための開口部５２を有するハウジング筐体５０と、ハウジング筐体５０に対して回動軸５４を中心に回動可能に係合し撮影装置が固定されるカメラ台５３とを有する。カメラ台５３は回動軸５４と固定され、回動軸５４はハウジング筐体５０が具備するベアリング５６により回動する。回動軸５４は軸方向に延在する中心孔を有する筒状であり、中心孔へケーブル５５を挿入出する穴部５７を少なくとも２箇所有している。ケーブル５５は穴部５７及び回動軸５４の内輪を通過して配線され、カメラ装置２とコントロール基板５を接続している。回動軸５４は、ハウジング筐体５０の、開口部５２に対向する面と開口部５２との中間より開口部側に配置されている。なお、参照符号が付されていないその他の構成については、第１の実施例と同様であるので説明を省略する。
【００３１】
本実施例においては、ハウジング筐体側と撮影装置側を接続するケーブル５５を、回動軸５４の孔部５７を経由して配線して、カメラ装置２とハウジング筐体５０側のコントロール基板５とを接続するため、孔部５７を経由する配線ルートが、実施例１〜４におけるケーブルをクランプする保持手段の役割を果たしている。従って、保持手段としての部材を別個設けなくとも、ケーブル５５を回動軸の近傍を経由して配線させることができ、本発明の効果を享受することができる。また、本実施例においては、回動軸５４に設けた２つの孔部５７は、一方を筒状の中心孔とし、他方を筒状の筒部を円筒中心から半径方向に貫通する穴（貫通孔）の場合を例示して説明したが、本発明はこれに限定されることはない。例えば、両方の孔部が、円筒中心から半径方向に貫通する穴（貫通孔）であってもよく、また、回動軸を構成する部材を貫通する貫通孔を経由するようにケーブルを配線することでも、本実施例と同様の利益を享受することができる。
【００３２】
上記構成のカメラハウジングによれば、上記の本発明の効果を享受することができる。
【００３３】
以上、本発明の好ましい実施形態について説明したが、本発明はこれらの実施形態に限定されず、その要旨の範囲内で種々の変形及び変更が可能である。
【符号の説明】
【００３４】
２  カメラ装置
１０、２０、３０、４０、５０  ハウジング筐体
１２、２２、３２、４２、５２  開口部
１３、２３、３３、４３、５３  カメラ台
１４、２４、３４、４４、５４  回動軸
【図１】
2013130594.tif 000003
【図２】
2013130594.tif 000004
【図３】
2013130594.tif 000005
【図４】
2013130594.tif 000006
【図５】
2013130594.tif 000007
【図６】
2013130594.tif 000008
【図７】
2013130594.tif 000009
【図８】
2013130594.tif 000010